【手続補正書】
【提出日】平成26年3月20日(2014.3.20)
【手続補正１】
【補正対象書類名】特許請求の範囲
【補正対象項目名】全文
【補正方法】変更
【補正の内容】
【特許請求の範囲】
【請求項１】
ネットワークにおけるユーザのつながりを表す情報を記憶するデータベースと、
ある広告に対する第１のユーザの評価の入力を受け付ける評価入力部と、
前記第１のユーザが前記ネットワーク上でつながりを有する第２のユーザを前記データベースから特定するつながり特定部と、
前記第２のユーザに前記第１のユーザによる前記評価を示す評価情報を通知する評価伝搬部と、
前記広告によるコンバージョンが発生したことを示すコンバージョン発生情報の入力を受け付けるコンバージョン発生情報入力部と、
前記コンバージョン発生情報に基づいて前記コンバージョンが発生した場合に前記第１のユーザに与える報奨額を決定する報奨額決定部と、
を備えることを特徴とする広告システム。
【請求項２】
ネットワークにおけるユーザのつながりを管理するサーバと通信可能に接続され、
広告を出力する広告出力部と、
前記広告に対する第１のユーザの評価の入力を受け付ける評価入力部と、
前記ネットワークにおいて前記第１のユーザにつながりを有する第２のユーザに対して、前記広告に対する前記第１のユーザの前記評価を示す評価情報を通知するように指示する評価情報伝搬要求を前記サーバに送信する伝搬要求送信部と、
前記広告によるコンバージョンが発生したことを示すコンバージョン発生情報の入力を受け付けるコンバージョン発生情報入力部と、
前記コンバージョン発生情報に基づいて前記コンバージョンが発生した場合に前記第１のユーザに与える報奨額を決定する報奨額決定部と、
を備えることを特徴とする広告システム。
【請求項３】
ネットワークにおけるユーザのつながりを表す情報を記憶するデータベースと、
ある広告に対する第１のユーザの評価の入力を受け付ける評価入力部と、
前記第１のユーザがネットワーク上でつながりを有する第２のユーザを前記データベースから特定するつながり特定部と、
前記第２のユーザに前記第１のユーザによる前記評価を示す評価情報を通知する評価伝搬部と、
前記ネットワークにおいて前記評価情報が通知された前記第２のユーザの数を取得する通知数取得部と、
前記評価情報が通知された前記第２のユーザの数に応じて、前記第１のユーザの影響度を決定する影響度決定部と、
を備えることを特徴とする広告システム。
【請求項４】
ネットワークにおけるユーザのつながりを管理するサーバと通信可能に接続され、
広告を出力する広告出力部と、
前記広告に対する第１のユーザの評価の入力を受け付ける評価入力部と、
前記ネットワークにおいて前記第１のユーザにつながりを有する第２のユーザに対して、前記広告に対する前記第１のユーザの前記評価を示す評価情報を通知するように指示する評価情報伝搬要求を前記サーバに送信する伝搬要求送信部と、
前記ネットワークにおいて前記評価情報が通知された前記第２のユーザの数を取得する通知数取得部と、
前記評価情報が通知された前記第２のユーザの相数に応じて、前記第１のユーザの影響度を決定する影響度決定部と、
を備えることを特徴とする広告システム。
【請求項５】
ネットワークにおけるユーザのつながりを表す情報を記憶するデータベースと、
ある広告に対する第１のユーザの評価の入力を受け付ける評価入力部と、
前記第１のユーザが前記ネットワークにおいてつながりを有する第２のユーザを前記データベースから特定するつながり特定部と、
前記第２のユーザに前記第１のユーザによる前記評価を示す評価情報を通知する評価伝搬部と、
前記評価情報が伝搬された前記第１および第２のユーザを対応付けて記憶する伝搬履歴データベースと、
前記ネットワークにおいて前記評価情報が通知された経路を前記伝搬履歴データベースから特定する伝搬経路特定部と、
前記第１のユーザに与える報奨額を前記経路の長さに応じて決定する報奨額決定部と、
を備えることを特徴とする広告システム。
【請求項６】
ネットワークにおけるユーザのつながりを管理するサーバと通信可能に接続され、
広告を出力する広告出力部と、
前記広告に対する第１のユーザの評価の入力を受け付ける評価入力部と、
前記ネットワークにおいて前記第１のユーザにつながりを有する第２のユーザに対して、前記広告に対する前記第１のユーザの前記評価を示す評価情報を通知するように指示する評価情報伝搬要求を前記サーバに送信する伝搬要求送信部と、
前記評価情報が伝搬された前記第１および第２のユーザを対応付けて記憶する伝搬履歴データベースと、
前記ネットワークにおいて前記評価情報が通知された経路を前記伝搬履歴データベースから特定する伝搬経路特定部と、
前記第１のユーザに与える報奨額を前記経路の長さに応じて決定する報奨額決定部と、
を備えることを特徴とする広告システム。
【請求項７】
ネットワークにおけるユーザのつながりを表す情報を記憶するデータベースを備えるコンピュータが、
ある広告に対する第１のユーザの評価の入力を受け付け、
前記第１のユーザが前記ネットワークにおいてつながりを有する第２のユーザを前記データベースから特定し、
前記第２のユーザに前記第１のユーザによる前記評価を示す評価情報を通知し、
前記広告によるコンバージョンが発生したことを示すコンバージョン発生情報の入力を受け付け、
前記コンバージョン発生情報に基づいて前記コンバージョンが発生した場合に前記第１のユーザに与える報奨額を決定すること、
を特徴とする広告方法。
【請求項８】
ネットワークにおけるユーザのつながりを管理するサーバと通信可能に接続されるコンピュータが、
広告を出力し、
前記広告に対する第１のユーザの評価の入力を受け付け、
前記ネットワークにおいて前記第１のユーザにつながりを有する第２のユーザに対して、前記広告に対する前記第１のユーザの前記評価を示す評価情報を通知するように指示する評価情報伝搬要求を前記サーバに送信し、
前記広告によるコンバージョンが発生したことを示すコンバージョン発生情報の入力を受け付け、
前記コンバージョン発生情報に基づいて前記コンバージョンが発生した場合に前記第１のユーザに与える報奨額を決定すること、
を特徴とする広告方法。
【請求項９】
ネットワークにおけるユーザのつながりを表す情報を記憶するデータベースを備えるコンピュータが、
ある広告に対する第１のユーザの評価の入力を受け付け、
前記第１のユーザがネットワーク上でつながりを有する第２のユーザを前記データベースから特定し、
前記第２のユーザに前記第１のユーザによる前記評価を示す評価情報を通知し、
前記ネットワークにおいて前記評価情報が通知された前記第２のユーザの数を取得し、
前記評価情報が通知された前記第２のユーザの数に応じて、前記第１のユーザの影響度を決定すること、
を特徴とする広告方法。
【請求項１０】
ネットワークにおけるユーザのつながりを管理するサーバと通信可能に接続されるコンピュータが、
広告を出力し、
前記広告に対する第１のユーザの評価の入力を受け付け、
前記ネットワークにおいて前記第１のユーザにつながりを有する第２のユーザに対して、前記広告に対する前記第１のユーザの前記評価を示す評価情報を通知するように指示する評価情報伝搬要求を前記サーバに送信し、
前記ネットワークにおいて前記評価情報が通知された前記第２のユーザの数を取得し、
前記評価情報が通知された前記第２のユーザの数に応じて、前記第１のユーザの影響度を決定すること、
を特徴とする広告方法。
【請求項１１】
ネットワークにおけるユーザのつながりを表す情報を記憶するデータベースを備えるコンピュータが、
ある広告に対する第１のユーザの評価の入力を受け付け、
前記第１のユーザがネットワーク上でつながりを有する第２のユーザを前記データベースから特定し、
前記第２のユーザに前記第１のユーザによる前記評価を示す評価情報を通知し、
前記評価情報が伝搬された前記第１および第２のユーザを対応付けて伝搬履歴データベースに記憶し、
前記ネットワークにおいて前記評価情報が通知された経路を前記伝搬履歴データベースから特定し、
前記第１のユーザに与える報奨額を前記経路の長さに応じて決定すること、
を特徴とする広告方法。
【請求項１２】
ネットワークにおけるユーザのつながりを管理するサーバと通信可能に接続されるコンピュータが、
広告を出力し、
前記広告に対する第１のユーザの評価の入力を受け付け、
前記ネットワークにおいて前記第１のユーザにつながりを有する第２のユーザに対して、前記広告に対する前記第１のユーザの前記評価を示す評価情報を通知するように指示する評価情報伝搬要求を前記サーバに送信し、
前記評価情報が伝搬された前記第１および第２のユーザを対応付けて伝搬履歴データベースに記憶し、
前記ネットワークにおいて前記評価情報が通知された経路を前記伝搬履歴データベースから特定し、
前記第１のユーザに与える報奨額を前記経路の長さに応じて決定すること、
を特徴とする広告方法。
【請求項１３】
ネットワークにおけるユーザのつながりを表す情報を記憶するデータベースを備えるコンピュータに、
ある広告に対する第１のユーザの評価の入力を受け付けるステップと、
前記第１のユーザが前記ネットワークにおいてつながりを有する第２のユーザを前記データベースから特定するステップと、
前記第２のユーザに前記第１のユーザによる前記評価を示す評価情報を通知するステップと、
前記広告によるコンバージョンが発生したことを示すコンバージョン発生情報の入力を受け付けるステップと、
前記コンバージョン発生情報に基づいて前記コンバージョンが発生した場合にのみ前記第１のユーザに与える報奨額を決定するステップと、
を実行させるためのプログラム。
【請求項１４】
ネットワークにおけるユーザのつながりを管理するサーバと通信可能に接続されるコンピュータに、
広告を出力するステップと、
前記広告に対する第１のユーザの評価の入力を受け付けるステップと、
前記ネットワークにおいて前記第１のユーザにつながりを有する第２のユーザに対して、前記広告に対する前記第１のユーザの前記評価を示す評価情報を通知するように指示する評価情報伝搬要求を前記サーバに送信するステップと、
前記広告によるコンバージョンが発生したことを示すコンバージョン発生情報の入力を受け付けるステップと、
前記コンバージョン発生情報に基づいて前記コンバージョンが発生した場合にのみ前記第１のユーザに与える報奨額を決定するステップと、
を実行させるためのプログラム。
【請求項１５】
ネットワークにおけるユーザのつながりを表す情報を記憶するデータベースを備えるコンピュータに、
ある広告に対する第１のユーザの評価の入力を受け付けるステップと、
前記第１のユーザがネットワーク上でつながりを有する第２のユーザを前記データベースから特定するステップと、
前記第２のユーザに前記第１のユーザによる前記評価を示す評価情報を通知するステップと、
前記ネットワークにおいて前記評価情報が通知された前記第２のユーザの数を取得するステップと、
前記評価情報が通知された前記第２のユーザの数に応じて、前記第１のユーザの影響度を決定するステップと、
を実行させるためのプログラム。
【請求項１６】
ネットワークにおけるユーザのつながりを管理するサーバと通信可能に接続されるコンピュータに、
広告を出力するステップと、
前記広告に対する第１のユーザの評価の入力を受け付けるステップと、
前記ネットワークにおいて前記第１のユーザにつながりを有する第２のユーザに対して、前記広告に対する前記第１のユーザの前記評価を示す評価情報を通知するように指示する評価情報伝搬要求を前記サーバに送信するステップと、
前記ネットワークにおいて前記評価情報が通知された前記第２のユーザの数を取得し、
前記評価情報が通知された前記第２のユーザの数に応じて、前記第１のユーザの影響度を決定するステップと、
を実行させるためのプログラム。
【請求項１７】
ネットワークにおけるユーザのつながりを表す情報を記憶するデータベースを備えるコンピュータに、
ある広告に対する第１のユーザの評価の入力を受け付けるステップと、
前記第１のユーザが前記ネットワークにおいてつながりを有する第２のユーザを前記データベースから特定するステップと、
前記第２のユーザに前記第１のユーザによる前記評価を示す評価情報を通知するステップと、
前記ネットワークにおいて前記評価情報が通知された経路を特定するステップと、
前記第１のユーザに与える報奨額を前記経路の長さに応じて決定するステップと、
を実行させるためのプログラム。
【請求項１８】
ネットワークにおけるユーザのつながりを管理するサーバと通信可能に接続されるコンピュータに、
広告を出力するステップと、
前記広告に対する第１のユーザの評価の入力を受け付るステップと、
前記ネットワークにおいて前記第１のユーザにつながりを有する第２のユーザに対して、前記広告に対する前記第１のユーザの前記評価を示す評価情報を通知するように指示する評価情報伝搬要求を前記サーバに送信するステップと、
前記評価情報が伝搬された前記第１および第２のユーザを対応付けて伝搬履歴データベースに記憶するステップと、
前記ネットワークにおいて前記評価情報が通知された経路を前記伝搬履歴データベースから特定するステップと、
前記第１のユーザに与える報奨額を前記経路の長さに応じて決定するステップと、
を実行させるためのプログラム。
【手続補正２】
【補正対象書類名】明細書
【補正対象項目名】０００５
【補正方法】変更
【補正の内容】
【０００５】
本発明は、このような背景を鑑みてなされたものであり、広告を閲覧したユーザにネットワークのつながりを介して広告を広めるインセンティブを与えることのできる、広告システム、広告方法及びプログラムを提供することを目的とする。
【手続補正３】
【補正対象書類名】明細書
【補正対象項目名】０００６
【補正方法】変更
【補正の内容】
【０００６】
上記課題を解決するための本発明の主たる発明は、広告システムであって、ネットワークにおけるユーザのつながりを表す情報を記憶するデータベースと、ある広告に対する第１のユーザの評価の入力を受け付ける評価入力部と、前記第１のユーザが前記ネットワーク上でつながりを有する第２のユーザを前記データベースから特定するつながり特定部と、前記第２のユーザに前記第１のユーザによる前記評価を示す評価情報を通知する評価伝搬部と、前記広告によるコンバージョンが発生したことを示すコンバージョン発生情報の入力を受け付けるコンバージョン発生情報入力部と、前記コンバージョン発生情報に基づいて前記コンバージョンが発生した場合に前記第１のユーザに与える報奨額を決定する報奨額決定部と、を備えることとする。
また、本発明の他の態様は、広告システムであって、ネットワークにおけるユーザのつながりを管理するサーバと通信可能に接続され、広告を出力する広告出力部と、前記広告に対する第１のユーザの評価の入力を受け付ける評価入力部と、前記ネットワークにおいて前記第１のユーザにつながりを有する第２のユーザに対して、前記広告に対する前記第１のユーザの前記評価を示す評価情報を通知するように指示する評価情報伝搬要求を前記サーバに送信する伝搬要求送信部と、前記広告によるコンバージョンが発生したことを示すコンバージョン発生情報の入力を受け付けるコンバージョン発生情報入力部と、前記コンバージョン発生情報に基づいて前記コンバージョンが発生した場合に前記第１のユーザに与える報奨額を決定する報奨額決定部と、を備えることとする。
【手続補正４】
【補正対象書類名】明細書
【補正対象項目名】０００７
【補正方法】変更
【補正の内容】
【０００７】
本発明の広告システムによれば、第１のユーザが広告に対する評価を入力すると、第１のユーザとネットワーク上でつながりを有する第２のユーザにその広告に対する評価を伝搬させることが可能となり、広告を伝搬させた第１のユーザにはインセンティブが与えられる。したがって、ユーザに広告をネットワーク上で伝搬させるインセンティブを与えることができる。一般に、ネットワークでつながりのあるユーザからの情報は、見知らぬユーザからの情報に比べて信用が高いため、ネットワークのつながりを介して広告を伝搬することができれば、広告効果も高いと考えられるところ、本発明の広告システムによれば、ネットワークのつがなりを介して広告を伝搬するインセンティブを与えることができるので、信頼のおけるつながりを介したいわゆる口コミ効果が期待でき、広告効果を高めることができる。
また、コンバージョンが発生した場合にのみユーザが報奨されることになるため、広告主にとっては、実際に効果が発生したことの対価としてインセンティブを与えることが可能となり、広告の出稿がしやすくなる。
【手続補正５】
【補正対象書類名】明細書
【補正対象項目名】０００８
【補正方法】変更
【補正の内容】
【０００８】
また、本発明の他の態様は、広告システムであって、ネットワークにおけるユーザのつながりを表す情報を記憶するデータベースと、ある広告に対する第１のユーザの評価の入力を受け付ける評価入力部と、前記第１のユーザがネットワーク上でつながりを有する第２のユーザを前記データベースから特定するつながり特定部と、前記第２のユーザに前記第１のユーザによる前記評価を示す評価情報を通知する評価伝搬部と、前記ネットワークにおいて前記評価情報が通知された前記第２のユーザの数を取得する通知数取得部と、
前記評価情報が通知された前記第２のユーザの数に応じて、前記第１のユーザの影響度を決定する影響度決定部と、を備えることとする。
また、本発明の他の態様は、広告システムであって、ネットワークにおけるユーザのつながりを管理するサーバと通信可能に接続され、広告を出力する広告出力部と、前記広告に対する第１のユーザの評価の入力を受け付ける評価入力部と、前記ネットワークにおいて前記第１のユーザにつながりを有する第２のユーザに対して、前記広告に対する前記第１のユーザの前記評価を示す評価情報を通知するように指示する評価情報伝搬要求を前記サーバに送信する伝搬要求送信部と、前記ネットワークにおいて前記評価情報が通知された前記第２のユーザの数を取得する通知数取得部と、前記評価情報が通知された前記第２のユーザの数に応じて、前記第１のユーザの影響度を決定する影響度決定部と、を備えることとする。
【手続補正６】
【補正対象書類名】明細書
【補正対象項目名】０００９
【補正方法】変更
【補正の内容】
【０００９】
本発明の広告システムによれば、第１のユーザが広告に対する評価を入力すると、第１のユーザとネットワーク上でつながりを有する第２のユーザにその広告に対する評価を伝搬させることが可能となり、広告を伝搬させた第１のユーザにはインセンティブが与えられる。したがって、ユーザに広告をネットワーク上で伝搬させるインセンティブを与えることができる。一般に、ネットワークでつながりのあるユーザからの情報は、見知らぬユーザからの情報に比べて信用が高いため、ネットワークのつながりを介して広告を伝搬することができれば、広告効果も高いと考えられるところ、本発明の広告システムによれば、ネットワークのつがなりを介して広告を伝搬するインセンティブを与えることができるので、信頼のおけるつながりを介したいわゆる口コミ効果が期待でき、広告効果を高めることができる。
また、影響度の高いユーザ（インフルエンサ）を容易に特定することができる。
【手続補正７】
【補正対象書類名】明細書
【補正対象項目名】００１０
【補正方法】変更
【補正の内容】
【００１０】
また、本発明の他の態様は、広告システムであって、ネットワークにおけるユーザのつながりを表す情報を記憶するデータベースと、ある広告に対する第１のユーザの評価の入力を受け付ける評価入力部と、前記第１のユーザが前記ネットワークにおいてつながりを有する第２のユーザを前記データベースから特定するつながり特定部と、前記第２のユーザに前記第１のユーザによる前記評価を示す評価情報を通知する評価伝搬部と、前記評価情報が伝搬された前記第１および第２のユーザを対応付けて記憶する伝搬履歴データベースと、前記ネットワークにおいて前記評価情報が通知された経路を前記伝搬履歴データベースから特定する伝搬経路特定部と、前記第１のユーザに与える報奨額を前記経路の長さに応じて決定する報奨額決定部と、を備えることとする。
また、本発明の他の態様は、広告システムであって、ネットワークにおけるユーザのつながりを管理するサーバと通信可能に接続され、広告を出力する広告出力部と、前記広告に対する第１のユーザの評価の入力を受け付ける評価入力部と、前記ネットワークにおいて前記第１のユーザにつながりを有する第２のユーザに対して、前記広告に対する前記第１のユーザの前記評価を示す評価情報を通知するように指示する評価情報伝搬要求を前記サーバに送信する伝搬要求送信部と、前記評価情報が伝搬された前記第１および第２のユーザを対応付けて記憶する伝搬履歴データベースと、前記ネットワークにおいて前記評価情報が通知された経路を前記伝搬履歴データベースから特定する伝搬経路特定部と、前記第１のユーザに与える報奨額を前記経路の長さに応じて決定する報奨額決定部と、を備えることとする。
【手続補正８】
【補正対象書類名】明細書
【補正対象項目名】００１１
【補正方法】変更
【補正の内容】
【００１１】
本発明の広告システムによれば、第１のユーザが広告に対する評価を入力すると、第１のユーザとネットワーク上でつながりを有する第２のユーザにその広告に対する評価を伝搬させることが可能となり、広告を伝搬させた第１のユーザにはインセンティブが与えられる。したがって、ユーザに広告をネットワーク上で伝搬させるインセンティブを与えることができる。一般に、ネットワークでつながりのあるユーザからの情報は、見知らぬユーザからの情報に比べて信用が高いため、ネットワークのつながりを介して広告を伝搬することができれば、広告効果も高いと考えられるところ、本発明の広告システムによれば、ネットワークのつがなりを介して広告を伝搬するインセンティブを与えることができるので、信頼のおけるつながりを介したいわゆる口コミ効果が期待でき、広告効果を高めることができる。
また、連鎖的に評価情報が伝搬するほど報奨額が大きくなるので、より広範囲に広告が伝搬した場合に多くのインセンティブを与えることができる。
【手続補正９】
【補正対象書類名】明細書
【補正対象項目名】００１２
【補正方法】変更
【補正の内容】
【００１２】
また、本発明の広告システムは、前記ネットワークにおいて前記評価情報が通知された前記第２のユーザの数を取得する通知数取得部を備え、前記報奨額決定部は、前記第２のユーザの数に応じて前記報奨額を決定するようにしてもよい。
この場合、評価情報が伝搬されたユーザが多いほど大きいインセンティブが与えられることになるので、より多くのユーザに広告が伝搬されることが期待される。また、広告主にとっても、より広く伝搬されたことに対してインセンティブを支払うことになるので、支払の妥当性が高く広告の出稿がしやすくなる。
【手続補正１０】
【補正対象書類名】明細書
【補正対象項目名】００１３
【補正方法】変更
【補正の内容】
【００１３】
また、本発明の広告システムでは、前記報奨額決定部は、複数の前記第１のユーザから前記評価を受け付けた場合には、先に受け付けた前記第１のユーザほど前記報奨額を高く決定するようにしてもよい。
この場合、ユーザに対してより早く広告を伝搬させようとする動機付けがなされるので、より迅速な広告効果が期待される。
【手続補正１１】
【補正対象書類名】明細書
【補正対象項目名】００１４
【補正方法】変更
【補正の内容】
【００１４】
また、本発明の広告システムは、前記広告により、ある前記ユーザによってコンバージョンが発生したことを示すコンバージョン発生情報の入力を受け付けるコンバージョン発生情報入力部を備え、前記伝搬経路特定部は、前記コンバージョンを発生させた前記ユーザに前記評価情報が通知された経路を特定し、前記報奨額決定部は、前記経路に含まれる前記ユーザについてのみ、前記報奨額を決定するようにしてもよい。
【手続補正１２】
【補正対象書類名】明細書
【補正対象項目名】００１５
【補正方法】変更
【補正の内容】
【００１５】
また、本発明の広告システムでは、前記報奨額決定部は、前記報奨額の合計が所定の上限を超えないように前記報奨額を決定するようにしてもよい。
この場合、インセンティブの上限を設けることができるので、広告主は予算管理を容易に行うことができる。
【手続補正１３】
【補正対象書類名】明細書
【補正対象項目名】００１６
【補正方法】変更
【補正の内容】
【００１６】
また、本発明の広告システムでは、前記報奨額決定部は、所定の期間中にのみ前記報奨額を決定するようにしてもよい。
この場合、インセンティブを与える期間を限定することができるので、広告主はキャンペーン等の一時的なものについてもネットワークを利用した広告を行うことができる。
また、本発明の広告システムでは、前記報奨額決定部は、前記第２のユーザの数が所定の人数になるまで前記報奨額を決定するようにしてもよい。
この場合、評価情報が伝搬したユーザ数が増えすぎることを抑制することができる。
【手続補正１４】
【補正対象書類名】明細書
【補正対象項目名】００１７
【補正方法】変更
【補正の内容】
【００１７】
また、本発明の広告システムは、前記影響度の高い順に所定数の前記ユーザに対してのみ前記広告を配信する広告配信部を備えるようにしてもよい。
また、本発明の広告システムでは、前記報奨額決定部は、前記第１のユーザについての前記影響度に応じて前記第１のユーザに与える前記報奨額を決定するようにしてもよい。
また、本発明の広告システムは、前記第２のユーザが閲覧する画面に、前記第２のユーザに対して通知された前記評価情報を、前記評価情報に係る前記第１のユーザについての前記影響度の順に表示する評価表示部を備えるようにしてもよい。
【手続補正１５】
【補正対象書類名】明細書
【補正対象項目名】００１８
【補正方法】変更
【補正の内容】
【００１８】
また、本発明の他の態様は、広告方法であって、ネットワークにおけるユーザのつながりを表す情報を記憶するデータベースを備えるコンピュータが、ある広告に対する第１のユーザの評価の入力を受け付け、前記第１のユーザが前記ネットワークにおいてつながりを有する第２のユーザを前記データベースから特定し、前記第２のユーザに前記第１のユーザによる前記評価を示す評価情報を通知し、前記広告によるコンバージョンが発生したことを示すコンバージョン発生情報の入力を受け付け、前記コンバージョン発生情報に基づいて前記コンバージョンが発生した場合に前記第１のユーザに与える報奨額を決定することとする。
また、本発明の他の態様は、広告方法であって、ネットワークにおけるユーザのつながりを管理するサーバと通信可能に接続されるコンピュータが、広告を出力し、前記広告に対する第１のユーザの評価の入力を受け付け、前記ネットワークにおいて前記第１のユーザにつながりを有する第２のユーザに対して、前記広告に対する前記第１のユーザの前記評価を示す評価情報を通知するように指示する評価情報伝搬要求を前記サーバに送信し、前記広告によるコンバージョンが発生したことを示すコンバージョン発生情報の入力を受け付け、前記コンバージョン発生情報に基づいて前記コンバージョンが発生した場合に前記第１のユーザに与える報奨額を決定することとする。
【手続補正１６】
【補正対象書類名】明細書
【補正対象項目名】００１９
【補正方法】変更
【補正の内容】
【００１９】
また、本発明の他の態様は、広告方法であって、ネットワークにおけるユーザのつながりを表す情報を記憶するデータベースを備えるコンピュータが、ある広告に対する第１のユーザの評価の入力を受け付け、前記第１のユーザがネットワーク上でつながりを有する第２のユーザを前記データベースから特定し、前記第２のユーザに前記第１のユーザによる前記評価を示す評価情報を通知し、前記ネットワークにおいて前記評価情報が通知された前記第２のユーザの数を取得し、前記評価情報が通知された前記第２のユーザの数に応じて、前記第１のユーザの影響度を決定することとする。また、本発明の他の態様は、広告方法であって、ネットワークにおけるユーザのつながりを管理するサーバと通信可能に接続されるコンピュータが、広告を出力し、前記広告に対する第１のユーザの評価の入力を受け付け、前記ネットワークにおいて前記第１のユーザにつながりを有する第２のユーザに対して、前記広告に対する前記第１のユーザの前記評価を示す評価情報を通知するように指示する評価情報伝搬要求を前記サーバに送信し、前記ネットワークにおいて前記評価情報が通知された前記第２のユーザの数を取得し、
前記評価情報が通知された前記第２のユーザの数に応じて、前記第１のユーザの影響度を決定することとする。
【手続補正１７】
【補正対象書類名】明細書
【補正対象項目名】００２０
【補正方法】変更
【補正の内容】
【００２０】
また、本発明の他の態様は、広告方法であって、ネットワークにおけるユーザのつながりを表す情報を記憶するデータベースを備えるコンピュータが、ある広告に対する第１のユーザの評価の入力を受け付け、前記第１のユーザがネットワーク上でつながりを有する第２のユーザを前記データベースから特定し、前記第２のユーザに前記第１のユーザによる前記評価を示す評価情報を通知し、前記評価情報が伝搬された前記第１および第２のユーザを対応付けて伝搬履歴データベースに記憶し、前記ネットワークにおいて前記評価情報が通知された経路を前記伝搬履歴データベースから特定し、前記第１のユーザに与える報奨額を前記経路の長さに応じて決定することとする。
【手続補正１８】
【補正対象書類名】明細書
【補正対象項目名】００２１
【補正方法】変更
【補正の内容】
【００２１】
また、本発明の他の態様は、プログラムであって、ネットワークにおけるユーザのつながりを表す情報を記憶するデータベースを備えるコンピュータに、ある広告に対する第１のユーザの評価の入力を受け付けるステップと、前記第１のユーザが前記ネットワークにおいてつながりを有する第２のユーザを前記データベースから特定するステップと、前記第２のユーザに前記第１のユーザによる前記評価を示す評価情報を通知するステップと、前記広告によるコンバージョンが発生したことを示すコンバージョン発生情報の入力を受け付けるステップと、前記コンバージョン発生情報に基づいて前記コンバージョンが発生した場合にのみ前記第１のユーザに与える報奨額を決定するステップと、を実行させることとする。
また、本発明の他の態様は、プログラムであって、ネットワークにおけるユーザのつながりを管理するサーバと通信可能に接続されるコンピュータに、広告を出力するステップと、前記広告に対する第１のユーザの評価の入力を受け付けるステップと、前記ネットワークにおいて前記第１のユーザにつながりを有する第２のユーザに対して、前記広告に対する前記第１のユーザの前記評価を示す評価情報を通知するように指示する評価情報伝搬要求を前記サーバに送信するステップと、前記広告によるコンバージョンが発生したことを示すコンバージョン発生情報の入力を受け付けるステップと、前記コンバージョン発生情報に基づいて前記コンバージョンが発生した場合にのみ前記第１のユーザに与える報奨額を決定するステップと、を実行させることとする。
【手続補正１９】
【補正対象書類名】明細書
【補正対象項目名】００２２
【補正方法】変更
【補正の内容】
【００２２】
また、本発明の他の態様は、プログラムであって、ネットワークにおけるユーザのつながりを表す情報を記憶するデータベースを備えるコンピュータに、ある広告に対する第１のユーザの評価の入力を受け付けるステップと、前記第１のユーザがネットワーク上でつながりを有する第２のユーザを前記データベースから特定するステップと、前記第２のユーザに前記第１のユーザによる前記評価を示す評価情報を通知するステップと、前記ネットワークにおいて前記評価情報が通知された前記第２のユーザの数を取得するステップと、前記評価情報が通知された前記第２のユーザの数に応じて、前記第１のユーザの影響度を決定するステップと、を実行させることとする。
また、本発明の他の態様は、プログラムであって、ネットワークにおけるユーザのつながりを管理するサーバと通信可能に接続されるコンピュータに、広告を出力するステップと、前記広告に対する第１のユーザの評価の入力を受け付けるステップと、前記ネットワークにおいて前記第１のユーザにつながりを有する第２のユーザに対して、前記広告に対する前記第１のユーザの前記評価を示す評価情報を通知するように指示する評価情報伝搬要求を前記サーバに送信するステップと、前記ネットワークにおいて前記評価情報が通知された前記第２のユーザの数を取得し、前記評価情報が通知された前記第２のユーザの数に応じて、前記第１のユーザの影響度を決定するステップとを実行させることとする。
【手続補正２０】
【補正対象書類名】明細書
【補正対象項目名】００２３
【補正方法】変更
【補正の内容】
【００２３】
また、本発明の他の態様は、プログラムであって、ネットワークにおけるユーザのつながりを表す情報を記憶するデータベースを備えるコンピュータに、ある広告に対する第１のユーザの評価の入力を受け付けるステップと、前記第１のユーザが前記ネットワークにおいてつながりを有する第２のユーザを前記データベースから特定するステップと、前記第２のユーザに前記第１のユーザによる前記評価を示す評価情報を通知するステップと、前記ネットワークにおいて前記評価情報が通知された経路を特定するステップと、前記第１のユーザに与える報奨額を前記経路の長さに応じて決定するステップと、を実行させることとする。
また、本発明の他の態様は、プログラムであって、ネットワークにおけるユーザのつながりを管理するサーバと通信可能に接続されるコンピュータに、広告を出力するステップと、前記広告に対する第１のユーザの評価の入力を受け付るステップと、前記ネットワークにおいて前記第１のユーザにつながりを有する第２のユーザに対して、前記広告に対する前記第１のユーザの前記評価を示す評価情報を通知するように指示する評価情報伝搬要求を前記サーバに送信するステップと、前記評価情報が伝搬された前記第１および第２のユーザを対応付けて伝搬履歴データベースに記憶するステップと、前記ネットワークにおいて前記評価情報が通知された経路を前記伝搬履歴データベースから特定するステップと、前記第１のユーザに与える報奨額を前記経路の長さに応じて決定するステップと、
を実行させることとする。
【手続補正２１】
【補正対象書類名】明細書
【補正対象項目名】００２５
【補正方法】変更
【補正の内容】
【００２５】
本発明によれば、広告を閲覧したユーザにネットワークのつながりを介して広告を広めるインセンティブを与えることができる。